(57)【要約】【課題】十分な空気の遮断能力を有するエアーカーテン装置を提供する。【解決手段】室内３の出入口６を覆うように設けられ、出入口６の手前側の側壁８に通用口７を有するユニット５と、ユニット５内に出入口６と通用口７との近くにそれぞれ設けられ、出入口６及び通用口７の横方向にそれぞれ空気を吹き出し、空気流の幕を生成する複数の送風装置１１、１２とを備え、複数の送風装置１１、１２のうち、出入口６の近くに設けられた送風装置１１と通用口７の近くに設けられた送風装置１２の空気の吹き出し方向が互いに逆方向となるようにしている。【選択図】図１
2014163630.tif 000002
【特許請求の範囲】
【請求項１】
室内の出入口を覆うように設けられ、前記出入口の手前側の側壁に通用口を有するユニットと、
前記ユニット内に前記出入口と前記通用口との近くにそれぞれ設けられ、前記出入口及び前記通用口の横方向にそれぞれ空気を吹き出し、空気流の幕を生成する複数の送風装置とを備え、
前記複数の送風装置のうち、前記出入口の近くに設けられた送風装置と前記通用口の近くに設けられた送風装置の空気の吹き出し方向が互いに逆方向となるようにしたことを特徴とするエアーカーテン装置。
【請求項２】
前記複数の送風装置は、縦方向に延びて形成された矩形状の筐体と、該筐体の一面に設けられた吸込口と、該吸込口と対向する面に設けられた吹出口とを有していることを特徴とする請求項１記載のエアーカーテン装置。
【請求項３】
前記ユニットの左右両側の側壁は、互いに反対方向に凹む曲面で構成されていることを特徴とする請求項１又は２記載のエアーカーテン装置。
【発明の詳細な説明】
【技術分野】
【０００１】
本発明は、建築物の開放された出入口に設置され、特に空調時の室内外の空気の流れを遮断するエアーカーテン装置に関するものである。
【背景技術】
【０００２】
従来のエアーカーテン装置は、建築物の開放された出入口の近傍に、出入口における室内への外気の流入、室内の空調時の空気の流出を抑制し、空調機の負荷を軽減する目的で設置される。エアーカーテン装置としては、出入口の上方に設置され、空気を下向きに吹き出して出入口での空気の流入・流出を遮断する構造のものが広く使われている（例えば、特許文献１参照）。
【０００３】
しかしながら、このようなエアーカーテン装置では、吹き出された空気は出入口の床面に達した後、床面に沿って室内や室外に流れるため、室内の空調された空気が室外に流出するという課題があった。
【０００４】
そこで、遮断性能を改善するために、エアーカーテン装置に空気の吹出口と吸込口を設け、吸込口から吸い込んだ空気を内部の送風機により吹出口から吹き出すようにしたものがある（例えば、特許文献２参照）。
そのエアーカーテン装置の筐体を出入口の横方向の両側に設置し、それぞれの筐体の対向する面に吸込口と吹出口を設け、かつ一方の吹出口に対向する位置にもう片方の吸込口を、一方の吸込口に対向する位置に吹出口を設置する。これにより、吹き出された空気を互いに逆方向に出入口を横切って循環し、エアーカーテンの効果を得ている。
【先行技術文献】
【特許文献】
【０００５】
【特許文献１】特開平５−１０６８９８号公報（要約）
【特許文献２】特開２００７−１０１８４号公報（要約）
【発明の概要】
【発明が解決しようとする課題】
【０００６】
前述した特許文献２に記載の技術では、出入口の面において、空気流の流れが互いに逆方向となるため、その境目においては大きな速度差が生じ、流れが不安定となって乱れを生じ、遮断能力が低下するという課題がある。
【０００７】
本発明は、前記のような課題を解決するためになされたもので、十分な空気の遮断能力を有するエアーカーテン装置を得ることを目的とする。
【課題を解決するための手段】
【０００８】
本発明に係るエアーカーテン装置は、室内の出入口を覆うように設けられ、前記出入口の手前側の側壁に通用口を有するユニットと、ユニット内に出入口と通用口との近くにそれぞれ設けられ、出入口及び通用口の横方向にそれぞれ空気を吹き出し、空気流の幕を生成する複数の送風装置とを備え、複数の送風装置のうち、出入口の近くに設けられた送風装置と通用口の近くに設けられた送風装置の空気の吹き出し方向が互いに逆方向となるようにしている。
【発明の効果】
【０００９】
本発明によれば、出入口の近くに設けられた送風装置と通用口の近くに設けられた送風装置の空気の吹き出し方向が互いに逆方向となるようにしているので、室内の出入口とユニットの通用口には、空気流の幕が生成され、室内外の空気の流れを確実に遮断することができる。各送風装置からそれぞれ吹き出される空気流の方向は、それぞれの出入口と通用口においては同一方向となるため、大きな速度差はなく、また、それに起因する乱れも発生しないため、出入口と通用口を遮断する空気流の幕が乱れることがなくなり、空気の遮断能力が向上する。
【図面の簡単な説明】
【００１０】
【図１】本発明の実施の形態１に係るエアーカーテン装置の概略構成を示す平面図。
【図２】図１のエアーカーテン装置をＡ−Ａ方向から見て示す縦断面図。
【図３】本発明の実施の形態１に係るエアーカーテン装置に用いられる送風装置の構造図。
【図４】本発明の実施の形態２に係るエアーカーテン装置の概略構成を示す平面図。
【図５】本発明の実施の形態１、２に係るエアーカーテン装置の変形例を示す平面図。
【発明を実施するための形態】
【００１１】
以下に、本発明に係るエアーカーテン装置の実施の形態を図面に基づいて詳細に説明する。なお、本発明は、以下に示す実施の形態により限定されるものではない。
【００１２】
実施の形態１．
図１は本発明の実施の形態１に係るエアーカーテン装置の概略構成を示す平面図、図２は図１のエアーカーテン装置をＡ−Ａ方向から見て示す縦断面図、図３は本発明の実施の形態１に係るエアーカーテン装置に用いられる送風装置の構造図である。
【００１３】
実施の形態１のエアーカーテン装置１は、図１及び図２に示すように、建物２の室内３の側壁３ａに出入口６を覆うように設けられ、その出入口６の手前側の側壁８に通用口７を有するユニット５と、ユニット５内に出入口６と通用口７との近くにそれぞれ設けられた２つの送風装置１１、１２とを備えている。
【００１４】
ユニット５は、例えば側壁８と対向する面が開口された箱形状に形成されている。このユニット５は、その開口面が室内３の側壁３ａで覆われるように設置されており、内部に空間５ａが形成されている。ユニット５の通用口７は、室内３の出入口６と対向する位置に設けられている。なお、本実施の形態１においては、ユニット５を室外４に設置しているが、これに限定されるものではなく、ユニット５を室内３に設置してもよい。
【００１５】
送風装置１１は、室外４側から見て、出入口６の左側側面の側壁３ａに沿って設置されており、送風装置１２は、室内３側から見て、通用口７の左側側面の側壁８に沿って設置されている。また、送風装置１１の吹出口１５は、図２に示すように、出入口６側に向けられており、送風装置１２の吹出口１５は、通用口７側に向けられている。つまり、送風装置１１と送風装置１２は、空気の吹き出し方向が互いに逆向きとなるように設置されている。
【００１６】
送風装置１１、１２は、図３に示すように、縦方向に延びる直方体形状の筐体１３と、前述の吹出口１５と、吸込口１４と、軸流羽根車１７を有するモーター１６と、モーター１６を筐体１３内に固定するモーター固定足１８とで構成されている。吹出口１５は、筐体１３の形状に沿って縦方向に延びる一対の帯形状に形成されており、吸込口１４は、吹出口１５と対向する面に設けられ、その面と略同じ大きさに形成されている。
【００１７】
モーター１６は、例えば筐体１３の縦方向に複数配置されている。モーター１６を駆動することにより軸流羽根車１７が回転し、その作用により、空気が吸込口１４から筐体１３内に流入する。筐体１３内に流入した空気は、軸流羽根車１７により圧力と流速が増し、吹出口１５から筐体１３外へ帯状の気流となって流出する。
【００１８】
前記のように構成された実施の形態１のエアーカーテン装置１の動作を説明する。
２つの送風装置１１、１２は、略同時に駆動される。この時、送風装置１１の吹出口１５から吹き出された帯状の空気流は、出入口６の横方向に空気流の幕を生成しながら横切る。そして、その空気流は、室内３の側壁３ａとユニット５の側壁８ｂに沿って流れ、送風装置１２によって吸込口１４から吸引される。
【００１９】
吸引された空気は、送風装置１２の吹出口１５から帯状の空気流の状態となって吹き出され、通用口７の横方向に空気流の幕を生成しながら横切る。そして、その空気流は、ユニット５の側壁８ａと室内３の側壁３ａに沿って流れ、送風装置１１によって吸込口１４から吸引される。この空気の流れにより、ユニット５の空間５ａ内に、ユニット５の床面に対して鉛直方向を軸として循環流２０が生成される。
【００２０】
以上のように実施の形態１によれば、ユニット５内の空気を循環させることにより、送風装置１１、１２で発生する空気流の風量以上の空気がユニット５内を移動することになる。これにより、室内３の出入口６とユニット５の通用口７には、空気流の幕が生成され、室内外の空気の流れを確実に遮断することができる。
【００２１】
また、送風装置１１、１２からそれぞれ吹き出される空気流の方向は、それぞれの出入口６と通用口７においては同一方向であるため、大きな速度差はなく、また、それに起因する乱れも発生しないため、出入口６と通用口７を遮断する空気流の幕が乱れることがなくなり、空気の遮断能力が向上する。
【００２２】
また、人や台車等が出入口６と通用口７を通過する際には、送風装置１１、１２から吹き出される空気流のうち片方だけが遮られることになり、もう一方の空気流は遮られないため、人や台車等が通過する際の空気流による遮断能力の低下を抑えることができる。
【００２３】
実施の形態２．
図４は本発明の実施の形態２に係るエアーカーテン装置の概略構成を示す平面図である。なお、図４においては、実施の形態１と同様あるいは相当部分には同じ符号を付している。
実施の形態２のエアーカーテン装置１は、図４に示すように、建物２の室内３の側壁３ａに２つの出入口６ａ、６ｂを覆うように設けられ、その２つの出入口６ａ、６ｂの手前側の側壁８に２つの通用口７ａ、７ｂを有するユニット５と、ユニット５内に出入口６ａ、６ｂと通用口７ａ、７ｂとの近くにそれぞれ設けられた４つの送風装置１１ａ、１１ｂ、１２ａ、１２ｂとを備えている。
【００２４】
ユニット５は、前記と同様に、側壁８と対向する面が開口された箱形状に形成されている。このユニット５は、その開口面が室内３の側壁３ａで覆われるように設置されており、内部に空間５ａが形成されている。ユニット５の各通用口７ａ、７ｂは、室内３の出入口６ａ、６ｂと対向する位置に設けられている。なお、本実施の形態２においては、ユニット５を室外４に設置しているが、これに限定されるものではなく、ユニット５を室内３に設置してもよい。
【００２５】
送風装置１１ａ、１１ｂは、室外４側から見て、各出入口６ａ、６ｂの左側側面の各側壁３ａに沿って設置されており、送風装置１２ａ、１２ｂは、室内３側から見て、各通用口７ａ、７ｂの左側側面の各側壁８に沿って設置されている。また、送風装置１１ａ、１１ｂの各吹出口１５は、それぞれ出入口６ａ、６ｂ側に向けられており、送風装置１２ａ、１２ｂの各吹出口１５は、それぞれ通用口７ａ、７ｂ側に向けられている。つまり、送風装置１１ａ、１１ｂと送風装置１２ａ、１２ｂは、空気の吹き出し方向が互いに逆向きとなるように設置されている。なお、４つの送風装置１１ａ、１１ｂ、１２ａ、１２ｂの構造は、実施の形態１と同様であるため、説明を省略する。
【００２６】
前記のように構成された実施の形態２のエアーカーテン装置１の動作を説明する。
４つの送風装置１１ａ、１１ｂ、１２ａ、１２ｂは、略同時に駆動される。この時、送風装置１１ａの吹出口１５から吹き出された帯状の空気流は、出入口６ａの横方向に空気流の幕を生成しながら横切る。そして、その空気流は、室内３の側壁３ａに沿って流れ、送風装置１１ｂによって吸込口１４から吸引される。吸引された空気は、送風装置１１ｂの吹出口１５から帯状の空気流の状態となって吹き出され、出入口６ｂの横方向に空気流の幕を生成しながら横切る。出入口６ｂを横切った空気流は、室内３の側壁３ａとユニット５の側壁８ｂに沿って流れ、送風装置１２ａによって吸込口１４から吸引される。
【００２７】
吸引された空気は、送風装置１２ａの吹出口１５から帯状の空気流の状態となって吹き出され、通用口７ｂの横方向に空気流の幕を生成しながら横切る。そして、その空気流は、ユニット５の側壁８に沿って流れ、送風装置１２ｂによって吸込口１４から吸引される。吸引された空気は、送風装置１２ｂの吹出口１５から帯状の空気流の状態となって吹き出され、通用口７ａの横方向に空気流の幕を生成しながら横切る。その空気流は、ユニット５の側壁８ａと室内３の側壁３ａに沿って流れ、送風装置１１ａによって吸込口１４から吸引される。この空気の流れにより、ユニット５の空間５ａ内には、ユニット５の床面に対して鉛直方向を軸とする循環流２０が生成される。
【００２８】
以上のように実施の形態２においては、実施の形態１と同様に、４つの送風装置１１ａ、１１ｂ、１２ａ、１２ｂで発生する空気流の風量以上の空気がユニット５内を移動することになる。これにより、室内３の出入口６ａ、６ｂとユニット５の通用口７ａ、７ｂには、空気流の幕が生成され、室内外の空気の流れを確実に遮断することができる。
【００２９】
また、送風装置１１ａ、１１ｂ、１２ａ、１２ｂからそれぞれ吹き出される空気流の方向は、それぞれの出入口６ａ、６ｂと通用口７ａ、７ｂにおいては同一方向であるため、大きな速度差はなく、また、それに起因する乱れも発生しないため、出入口６ａ、６ｂと通用口７ａ、７ｂを遮断する空気流の幕が乱れることがなくなり、空気の遮断能力が向上する。
【００３０】
また、人や台車等が出入口６ａ、６ｂと通用口７ａ、７ｂを通過する際には、送風装置１１ａ、１１ｂ、１２ａ、１２ｂから吹き出される空気流のうち片方だけが遮られることになり、もう一方の空気流は遮られないため、人や台車等が通過する際の空気流による遮断能力の低下を抑えることができる。
【００３１】
なお、実施の形態１、２では、ユニット５の左右両側の側壁８ａ、８ｂは、方形に形成されているが、図５に示すように、ユニット５の左右両側の側壁８ａ、８ｂを、互いに反対方向に凹む曲面としてもよい。この場合、循環流２０が角の部分で二次流れが生じることを抑制でき、強い循環流２０を得ることができ、空気流による遮断効果が高まる。なお、図５は本発明の実施の形態１、２に係るエアーカーテン装置の変形例を示す平面図である。
【符号の説明】
【００３２】
１  エアーカーテン装置、２  建物、３  室内、３ａ  室内の側壁、４  室外、５  ユニット、６、６ａ、６ｂ  出入口、７、７ａ、７ｂ  通用口、８、８ａ、８ｂ  ユニットの側壁、１１、１１ａ、１１ｂ  送風装置、１２、１２ａ、１２ｂ  送風装置、１３  筐体、１４  吸引口、１５  吹出口、１６  モーター、１７  軸流羽根車、１８  モーター固定足、２０  循環流。
【図１】
2014163630.tif 000003
【図２】
2014163630.tif 000004
【図３】
2014163630.tif 000005
【図４】
2014163630.tif 000006
【図５】
2014163630.tif 000007